(57)【要約】【課題】耐候光試験機槽内の試料表面に相当する位置で、かつ同一の位置で、放射照度、温度及び湿度の所定時間毎の平均値を、連続して測定することができる小型で一体型の測定器を提供する。【解決手段】本考案の連続測定器は、測温体部、湿度検知部、受光部、演算部、液晶表示部、電源部等から構成され、耐候光試験機の試料枠に取り付ける。受光素子を内蔵する測定器本体に複数のコネクタを装備し、温度センサと湿度センサをそれぞれ接続し、交換することを可能にした。【選択図】図１
0003124486.tif 000002
【実用新案登録請求の範囲】
【請求項１】
光源を備えた耐候光試験機の放射照度と湿度と温度を測定する測定器であって、
試料枠への取り付け冶具を具備し、
１）放射照度を測定する手段と、
２）湿度を測定する手段と、
３）温度を測定する手段と、
４）前記各手段の単位時間毎の平均値を演算し、記憶し、表示する手段と、
を備え、これを一体として小型に形成したことを特徴とする耐候光試験機搭載型連続測定器。
【請求項２】
前記温度を測定する手段の温度センサを、コネクタを介して接続交換可能なことを特徴とする請求項１に記載の連続測定器。
【考案の詳細な説明】
【技術分野】
【０００１】
本考案は、メタリングアークランプ、キセノンアークランプ、サンシャインカーボンアークランプ、紫外線カーボンアークランプ、蛍光灯のうちいずれか１つを光源とする耐候試験機用の放射照度と温度と湿度を同時に測定する測定器に関する。
【背景技術】
【０００２】
耐候光試験機は自然環境における物質（原材料）の寿命を知るために、試料に強力な光エネルギーを照射し、温度、湿度を与えて、物質の劣化を加速させる装置である。その光源は歴史的に様々なものが開発されてきたが、現在はメタリングアークランプ、キセノンアークランプ（以下キセノンランプ）、サンシャインカーボンアークランプ、紫外線カーボンアークランプ、蛍光灯が一般的に使用されている。
【０００３】
各光源から放射される光の放射照度を測定、制御することは、耐候光試験の条件を標準化する意味で大変重要なことであり、その測定手段として放射照度計が使用されている。（特許文献１）
【０００４】
試験温度は、試料表面温度か試験槽内空気温度（乾球温度）かのいずれか、又は両者を測定することが多い。試料表面温度はブラックパネル温度計又はブラックスタンダード温度計で測定することが多いが、赤、青、黄色等のカラーパネルを用いて測定することもある。（特許文献２，３，４）
【０００５】
湿度は試験槽内空気湿度を、光が直接当たらない位置で、乾球温度計と湿球温度計により、乾球温度と湿球温度を測定し、算出するか、又は、湿度センサを利用することが多い。
【０００６】
放射照度計は、試料ホルダに代表される試料枠への取り付け冶具に取り付ける。ブラックパネル温度計やブラックスタンダード温度計等も、試料枠への取り付け冶具に取り付ける。
乾球温度計、湿球温度計、湿度センサは、光源からの影響を受けない試料枠外の位置に取り付けることが多い。
このように測定手段によって、取り付ける位置は異なり、同一の位置で測定できないという問題があった。
【０００７】
また、測定した値は瞬時値又は積算値で表示することが多く、所定時間毎の平均値を連続して測定していなかった。平均値を求める場合、その都度瞬時値を読み取り、手計算することで手間がかかることもあった。
【特許文献１】実願  平１−１２５８３４
【特許文献２】特願  平１２−３９４０３８
【特許文献３】実願  平１５−６２
【特許文献４】特願  平１４−３５１８８８
【考案の開示】
【考案が解決しようとする課題】
【０００８】
耐候光試験機槽内の試料表面に相当する位置で、かつ同一の位置で、放射照度と温度、湿度の所定時間毎の平均値を、連続して測定することができる小型で一体型の測定器を提供する。
【課題を解決するための手段】
【０００９】
本考案の環境測定器は、測温体部、湿度検知部、受光部、演算部、液晶表示部、電源部等から構成され、試料枠への取り付け冶具に取り付けることによって、耐候光試験機の試料枠に搭載される。
【００１０】
測温体部は、温度センサと基準接点補償回路等から構成される。
温度センサは熱電対、保護管付き熱電対、ブラックパネルセンサ、ブラックスタンダードセンサ、カラーパネルセンサ等から選択し、コネクタを介して測定器と接続する。コネクタに接続したセンサをはずし、別のセンサに交換することが可能である。
また、コネクタが複数あれば、それぞれのコネクタに１つずつ、選択したセンサを取り付けることが可能である。
【００１１】
湿度検知部は、湿度センサから構成される。
湿度センサは、有機化合物型あるいはセラミックス型からなる静電容量型で、温度センサと同様、コネクタを介して測定器と接続交換が可能である。
【００１２】
受光部は、フィルタと受光素子等から構成される。
光源の種類と実施する試験に応じて、測定波長範囲は、受光素子にフィルタを組み合わせることによって、300-400nm、300-700nm、290-800nm、295-450nm、340nm、420nmなどから、あらかじめ選択することができる。
【００１３】
温度センサ、湿度センサ、受光素子からの信号を、各々A/Dコンバータで変換し、演算回路で各々温度、湿度、照度を演算する。また、前記演算回路には、所定時間毎のそれぞれの平均値を連続的に演算する回路も有し、それぞれの平均値を記憶し、液晶表示部に表示する。
【考案の効果】
【００１４】
本考案の連続測定器で、試料表面と同等の位置での放射照度、温度、湿度を測定することができる。従って、試料の状態をより正確に把握することができる。
また、所定時間毎の各因子の平均値を連続して測定することで、時間的な変動をチェックし、耐候光試験機が運転開始から安定して作動していたか否か、あるいは安定するまでの時間的推移のデータを提供することが容易にできる。ひいては耐候光試験機の再現性技術の向上に寄与する。
【実施例１】
【００１５】
本考案の耐候光試験機搭載型連続測定器は、耐候光試験機の光源の種類と、測定波長域によって種類が異なるが、ここではキセノンランプ用で測定波長域300-400nmのものを図１に基づいて実施例として説明する。
【００１６】
該搭載型連続測定器は樹脂製で、小型軽量であり、使用温度範囲が広く、耐水性に優れる。
【００１７】
この環境測定器の受光部は、あらかじめキセノンランプ用で測定波長域300-400nmに設定しておく。コネクタは2本あり、1本には温度センサを、もう1本には湿度センサを接続する。
温度センサは、熱電対、保護管付き熱電対、ブラックパネルセンサ、ブラックスタンダードセンサ、カラーパネルセンサ等から１つを選択し、接続する。温度測定終了後、別の温度センサに交換接続することも可能である。
湿度センサは、有機化合物型あるいはセラミックス型の静電容量型であれば、接続が可能である。また、交換接続も可能である。
【００１８】
温度センサと湿度センサを接続した本測定器を試料枠への取り付け冶具に取り付け、耐候光試験機の試料枠に搭載する。
【００１９】
耐候光試験機のキセノンランプから放射する光エネルギーは、フィルタを通して受光素子で受光し、A/Dコンバータでアナログ信号をデジタル信号に変換する。この信号を基に演算回路で、放射照度の所定時間毎の平均値を演算、記憶し、液晶表示部に表示する。
【００２０】
耐候光試験機の試料枠に取り付けた温度センサで温度を検知し、基準接点補償回路を通して、A/Dコンバータでアナログ信号をデジタル信号に変換する。この信号を基に、演算回路で、温度の所定時間毎の平均値を演算、記憶し、液晶表示部に表示する。
【００２１】
耐候光試験機の試料枠に取り付けた湿度センサで湿度を検知し、A/Dコンバータでアナログ信号をデジタル信号に変換する。この信号を基に、演算回路で、湿度の所定時間毎の平均値を演算、記憶し、液晶表示部に表示する。
【００２２】
放射照度、温度、湿度は所定時間毎の平均値を表示するが、例えば５分毎の平均値を1時間測定することが可能である。
【図面の簡単な説明】
【００２３】
【図１】本考案の耐候光試験機搭載型連続測定器
【図１】
0003124486.tif 000003